(57)【特許請求の範囲】
【請求項１】
複数の計測機器のそれぞれから出力される機器情報を、情報出力部に出力する情報出力装置であって、
前記情報出力部を識別する識別情報を取得する識別情報取得手段と、
前記機器情報を取得する機器情報取得手段と、
前記機器情報に基づいて前記複数の計測機器それぞれの状態である機器状態を取得する機器状態取得手段と、
前記情報出力部に出力される前記機器情報の優先度であって、前記複数の計測機器毎に予め定義されている第一優先度を、前記識別情報に応じて設定する第一優先度設定手段と、
前記機器状態取得手段によって取得された前記機器状態に応じて変動する前記優先度である第二優先度を、前記複数の計測機器毎に設定する第二優先度設定手段と、
前記第一優先度設定手段によって設定された第一優先度と、前記第二優先度設定手段によって設定された第二優先度とに基づいて、前記識別情報に応じた前記機器状態毎の前記優先度である第三優先度を決定する優先度決定手段と、
前記優先度決定手段によって決定された前記第三優先度に応じて、前記識別情報に対応する情報出力部に前記機器状態に応じた機器情報を出力させる出力制御手段と
を備えたことを特徴とする情報出力装置。
【請求項２】
前記出力制御手段は、前記第三優先度の上位に決定される複数の機器情報である上位機器情報に関する画像が選択可能に表示された推奨画像を前記情報出力部に出力させ、且つ、前記推奨画像に対応する選択指示を受け付けた場合に、受け付けた選択指示に応じた機器情報を情報出力部に出力させることを特徴とする請求項１に記載の情報出力装置。
【請求項３】
前記出力制御手段は、前記第三優先度が前記上位機器情報よりも低い機器情報の情報量を、前記上位機器情報よりも少ない情報量に抑制して出力することを特徴とする請求項２に記載の情報出力装置。
【請求項４】
前記機器情報の情報量を示す機器情報量を、前記複数の計測機器毎に設定する機器情報量設定手段と、
前記情報出力部から出力される前記機器情報をユーザが処理する処理能力を、前記識別情報に応じて設定する処理能力設定手段と、
前記機器情報量設定手段によって設定された前記機器情報量と、前記処理能力設定手段によって設定された前記処理能力とに基づいて、前記識別情報に応じた前記複数の計測機器毎の処理負荷量を算出する算出手段を備え、
前記出力制御手段は、前記第三優先度と前記処理負荷量とに応じて前記機器情報を前記識別情報に対応する情報出力部に出力させることを特徴とする請求項１から３のいずれかに記載の情報出力装置。
【請求項５】
前記出力制御手段は、前記第三優先度が同等である機器情報のそれぞれを、前記機器情報に応じて、任意の順の異なる出力タイミングで出力させることを特徴とする請求項１から４のいずれかに記載の情報出力装置。
【請求項６】
前記第一優先度及び前記第二優先度の少なくともいずれかを更新する更新要求を受け付ける更新受付手段と、
前記更新受付手段によって受け付けられた前記更新要求が特定の特性を有する前記識別情報に基づく情報であるかを判断する更新判断手段と、
前記更新判断手段によって、前記更新要求が前記特定の特性を有する識別情報であると判断された場合に前記更新要求に応じて前記第一優先度及び前記第二優先度を更新し、前記更新要求が前記特定の特性を有する識別情報でないと判断された場合に前記更新要求に応じて前記第一優先度及び前記第二優先度を更新しない更新手段とを備えたことを特徴とする請求項１から５のいずれかに記載の情報出力装置。
【請求項７】
前記識別情報取得手段は、
前記特定の特性が前記複数の情報出力部に対応する複数の識別情報において遷移する遷移順を記憶する遷移順記憶部を参照し、前記遷移順の最も高い識別情報に対応する情報出力部の特性を前記特定の特性に設定することを特徴とする請求項６に記載の情報出力装置。
【請求項８】
前記更新手段による前記第一優先度及び前記第二優先度の少なくとも何れかにおける一部または全部の更新を禁止する更新禁止手段を備えたことを特徴とする請求項６または７に記載の情報出力装置。
【発明の詳細な説明】
【技術分野】
【０００１】
本発明は、ユーザに装着される情報出力部に情報を出力する情報出力装置に関する。
【背景技術】
【０００２】
医療用の診断機器を用いてヘッドマウントディスプレイ（Head Mounted Display、ＨＭＤ）に診断情報を出力する技術が知られている。診断機器の具体例として、心電図検査を行う心電計、超音波診断装置、Magnetic Resonance Imaging（ＭＲＩ）装置、Ｘ線Computed Tomography（ＣＴ）装置等がある。特許文献１では、複数の診断機器から送信された多種多様な診断情報を一元化する情報処理装置に複数のＨＭＤが接続されており、複数のＨＭＤのそれぞれに、ＨＭＤのユーザの医療現場における役割に応じた診断情報が出力される技術が開示されている。
【先行技術文献】
【特許文献】
【０００３】
【特許文献１】特開２０１５−１９６７９号公報
【発明の概要】
【発明が解決しようとする課題】
【０００４】
ところで、複数の診断機器がＨＭＤに接続された場面において、一部の診断機器から診断値が異常値であることを示すアラームが出力されることがある。このような場合、他の診断機器の診断情報の状況に応じて、また、医療現場におけるユーザの役割に応じて、ユーザが必要とする診断情報の優先度が異なることがある。しかしながら、上記の技術では、そのとき毎に変化する状況に対応させて、ユーザ毎の優先度に応じた診断情報を自動でＨＭＤに出力させることが難しい。
【０００５】
本発明は、そのとき毎に変化する現場の状況に応じた優先度で機器情報を出力制御できる情報出力装置を提供することを目的とする。
【課題を解決するための手段】
【０００６】
本発明に係る情報出力装置は、複数の計測機器のそれぞれから出力される機器情報を、情報出力部に出力する情報出力装置であって、前記情報出力部を識別する識別情報を取得する識別情報取得手段と、前記機器情報を取得する機器情報取得手段と、前記機器情報に基づいて前記複数の計測機器それぞれの状態である機器状態を取得する機器状態取得手段と、前記情報出力部に出力される前記機器情報の優先度であって、前記複数の計測機器毎に予め定義されている第一優先度を、前記識別情報に応じて設定する第一優先度設定手段と、前記機器状態取得手段によって取得された前記機器状態に応じて変動する前記優先度である第二優先度を、前記複数の計測機器毎に設定する第二優先度設定手段と、前記第一優先度設定手段によって設定された第一優先度と、前記第二優先度設定手段によって設定された第二優先度とに基づいて、前記識別情報に応じた前記機器状態毎の前記優先度である第三優先度を決定する優先度決定手段と、前記優先度決定手段によって決定された前記第三優先度に応じて、前記識別情報に対応する情報出力部に前記機器状態に応じた機器情報を出力させる出力制御手段とを備える。
【０００７】
本発明に係る情報出力装置によれば、第一優先度設定手段は、複数の計測機器毎の機器情報の優先度である第一優先度を識別情報に応じて設定する。第二優先度設定手段は、計測装置の状態である機器状態に応じた優先度である第二優先度を計測機器毎に設定する。そして、第一優先度と第二優先度とに応じて、個々の情報出力部を示す識別情報に応じた機器状態毎の第三優先度が決定される。このため、例えば複数の計測機器のうち一部の計測機器から計測値が異常値であることを示すアラームが出力されるような場合等に、識別情報に応じた複数の計測機器毎の機器情報の第一優先度と、その計測機器の機器状態に応じた第二優先度とを踏まえて、識別情報に応じたユーザの情報出力部に必要な情報が出力される。従って、本発明に係る情報出力装置は、そのとき毎に変化する現場の状況に応じた優先度で機器情報を出力制御できる。
【０００８】
前記出力制御手段は、前記第三優先度の上位に決定される複数の機器情報である上位機器情報に関する画像が選択可能に表示された推奨画像を前記情報出力部に出力させ、且つ、前記推奨画像に対応する選択指示を受け付けた場合に、受け付けた選択指示に応じた機器情報を情報出力部に出力させてもよい。
【０００９】
ユーザの状況によっては、第三優先度に応じた機器情報とは異なる他の機器情報が必要とされる場合がある。情報出力装置では、第三優先度の上位に決定される上位機器情報に関する推奨画像が情報出力部に出力され、推奨画像に対応する選択指示に応じた機器情報が情報出力部に出力される。このため、ユーザは必要な機器情報を選択できるので、情報出力装置の利便性が向上する。
【００１０】
前記出力制御手段は、前記第三優先度が前記上位機器情報よりも低い機器情報の情報量を、前記上位機器情報よりも少ない情報量に抑制して出力してもよい。
【００１１】
情報出力部から多くの機器情報が出力される場合、ユーザの状況によっては、情報出力部に出力される情報の全てを処理できないことがある。情報出力部の出力可能な情報量には限りがある。情報出力装置は、上位機器情報よりも第三優先度の低い機器情報の情報量を、上位機器情報よりも少ない情報量に抑制して出力するので、ユーザの状況に適した機器情報をユーザに提供できる。
【００１２】
前記情報出力装置は、前記機器情報の情報量を示す機器情報量を、前記複数の計測機器毎に設定する機器情報量設定手段と、前記情報出力部から出力される前記機器情報をユーザが処理する処理能力を、前記識別情報に応じて設定する処理能力設定手段と、前記機器情報量設定手段によって設定された前記機器情報量と、前記処理能力設定手段によって設定された前記処理能力とに基づいて、前記識別情報に応じた前記複数の計測機器毎の処理負荷量を算出する算出手段を備えてもよい。前記出力制御手段は、前記第三優先度と前記処理負荷量とに応じて前記機器情報を前記識別情報に対応する情報出力部に出力させてもよい。
【００１３】
情報出力装置は、情報出力部の情報出力能力によっては、第三優先度に応じた機器情報を情報出力部にそのまま出力し難いことがある。また、情報出力部に出力される機器情報に対するユーザ毎の処理能力が異なることがある。情報出力装置は、機器情報量とユーザの処理能力に応じて処理負荷量を算出するので、算出した処理負荷量を第三優先度とに応じて、情報出力部の情報出力能力及びユーザの処理能力に適した機器情報を出力できる。
【００１４】
前記出力制御手段は、前記第三優先度が同等である機器情報のそれぞれを、前記機器情報に応じて、任意の順の異なる出力タイミングで出力させてもよい。
【００１５】
例えば、複数の機器情報に複数の音声情報が含まれる場合等、情報出力部から複数の機器情報が一度に出力されても、ユーザが必要な情報を把握できないことがある。出力制御手段は、機器情報に応じて、第三優先度が同等の機器情報を異なる出力タイミングで出力させることができるので、情報出力装置の利便性が向上する。
【００１６】
前記情報出力装置は、前記第一優先度及び前記第二優先度の少なくともいずれかを更新する更新要求を受け付ける更新受付手段と、前記更新受付手段によって受け付けられた前記更新要求が特定の特性を有する前記識別情報に基づく情報であるかを判断する更新判断手段と、前記更新判断手段によって、前記更新要求が前記特定の特性を有する識別情報であると判断された場合に前記更新要求に応じて前記第一優先度及び前記第二優先度を更新し、前記更新要求が前記特定の特性を有する識別情報でないと判断された場合に前記更新要求に応じて前記第一優先度及び前記第二優先度を更新しない更新手段とを備えてもよい。
【００１７】
この場合、更新要求が特定の特性を有する識別情報に基づく場合にのみ、第一優先度が更新される。特定の特性を有する識別情報に対応する情報出力部のユーザが第一優先度及び第二優先度を更新すべきと判断したことに伴い、更新要求に応じた第三優先度の機器情報が情報出力部に出力されるので、他のユーザは必要な情報を把握しやすい。
【００１８】
前記識別情報取得手段は、前記特定の特性が前記複数の情報出力部に対応する複数の識別情報において遷移する遷移順を記憶する遷移順記憶部を参照し、前記遷移順の最も高い識別情報に対応する情報出力部の特性を前記特定の特性に設定してもよい。
【００１９】
例えば、特定の特性を有する識別情報に対応する情報出力部のユーザが、持ち場を離れることがある。このような場合であっても、特定の特性が複数の識別情報において遷移順に応じて遷移されるので、情報出力装置の用いられる現場の状況に応じた機器情報が情報出力部から出力される。
【００２０】
前記情報出力装置は、前記更新手段による前記第一優先度及び前記第二優先度の少なくとも何れかにおける一部または全部の更新を禁止する更新禁止手段を備えてもよい。
【００２１】
この場合、情報出力装置は、例えば第一優先度及び第二優先度のうち更新すべきでない領域まで更新手段によって更新されることを防止できる。
【図面の簡単な説明】
【００２２】
【図１】情報出力システム１００の全体構成図である。
【図２】機器情報テーブル６０のデータ構成を示す図である。
【図３】ユーザ情報テーブル７０のデータ構成を示す図である。
【図４】情報出力処理のフローチャートである。
【図５】情報出力処理のフローチャートである。
【図６】第一優先度テーブル８０のデータ構成を示す図である。
【図７】第二優先度テーブル９０のデータ構成を示す図である。
【図８】第三優先度テーブル１１０のデータ構成を示す図である。
【図９】機器情報量テーブル１２０のデータ構成を示す図である。
【図１０】ユーザ処理能力テーブル１３０のデータ構成を示す図である。
【図１１】処理負荷量テーブル１４０のデータ構成を示す図である。
【図１２】同時処理量テーブル１５０のデータ構成を示す図である。
【図１３】第三優先度と処理負荷量とに応じて、同時処理量を超えない範囲の機器情報の情報量を特定する処理を説明するための図である。
【図１４】画像表示部２２における機器画像の表示例である。
【図１５】画像表示部２２における選択画像２２５の表示例である。
【図１６】画像表示部２２における機器画像の表示例である。
【図１７】テーブル更新処理のフローチャートである。
【発明を実施するための形態】
【００２３】
図１を参照して、情報出力システム１００のシステム構成を説明する。情報出力システム１００は、手術等の医療の現場等で使用される種々の機器のそれぞれから出力される情報を含む情報を、そのとき毎に変化する現場の状況に応じた優先度でヘッドマウントディスプレイ（Head Mounted Display、以下、「ＨＭＤ」という。）１０に出力させる。ＨＭＤ１０は、映像信号及び音声信号を出力する情報出力部を備えた情報出力装置の一例である。
【００２４】
図１に示すように、情報出力システム１００は、ＨＭＤ１０Ａ，１０Ｂ，１０Ｃを備える。なお、ＨＭＤ１０Ａ，１０Ｂ，１０Ｃのそれぞれを区別しない場合、又は総称する場合、単に「ＨＭＤ１０」という。ＨＭＤ１０は、ネットワーク１１を介して通信可能に接続する。
【００２５】
ＨＭＤ１０の構成について説明する。図１の上方、下方、左方及び右方を、各々、ＨＭＤ１０の上方、下方、左方及び右方と定義して説明する。ＨＭＤ１０は、ヘッドディスプレイ（以下、「ＨＤ」という。）２０、装着具８、接続具９と制御装置（以下、「コントロールボックス」又は「ＣＢ」という。）３０を備える。
【００２６】
ＨＤ２０の構成について説明する。ＨＤ２０は、画像光を投影する機能を有する。ＨＤ２０の投影形式は、虚像投影型である。ＨＤ２０は、画像光を後方に向けて照射できる。画像光は、受光対象物（例えば、ＨＭＤ１０を装着したユーザの左眼）に入射する。ＨＤ２０は、ハーネス７を介してＣＢ３０と着脱可能に接続する。ＨＤ２０は、筐体２０Ａを備える。
【００２７】
筐体２０Ａは、左端側に樹脂製のハーフミラー４を備える。ハーフミラー４は、ＨＭＤ１０がユーザの頭部に装着されたとき、ユーザの左眼の前方に配置される。筐体２０Ａの内部に、画像表示部２２及びレンズユニット（図示せず）が、右側から左側に順に並んで配置される。画像表示部２２は、液晶素子である。画像表示部２２は、ＣＢ３０からハーネス７を介して受信した映像信号に基づいて画像を表示する。画像表示部２２の表示面は左方向を向く。画像表示部２２に表示された映像を示す映像光は、レンズユニットに右側から入射し、左側からハーフミラー４に向けて出射する。ハーフミラー４は、レンズユニットから出射された映像光を後方に反射する。ＨＭＤ１０がユーザに装着されている状態で、映像光は、ユーザの左眼の眼球に入射する。また、ハーフミラー４は、外界の実像からの光を、ユーザの左眼に向けて透過する。ＨＭＤ１０は、ユーザの視野範囲内の実像（例えば、外界の風景等）に、画像表示部２２に表示された映像を重ねた状態の光景を、ユーザに視認させる。
【００２８】
画像表示部２２は、液晶ディスプレイ、及び有機ＥＬ（Organic Electro-luminescence）ディスプレイ等であってもよい。画像表示部２２は、二次元的に走査された光をユーザの網膜上に投影する網膜走査型の投影装置であってもよい。ハーフミラー４は、ガラス製であってもよい。ハーフミラー４の代わりに、プリズム、回折格子のような、屈折、内部全反射又は回折などの作用によって光路を偏向する光路偏向部材を用いてもよい。ハーフミラー４の代わりに、全反射のミラーを用いてもよい。
【００２９】
装着具８は、ＨＤ２０をユーザの頭部に保持するための構成である。装着具８は、例えば、可撓性を有する樹脂、ステンレスなどの金属素材によって形成される。装着具８は、第一部分８Ａ及び一対の第二部分８Ｂを有する。第一部分８Ａ及び一対の第二部分８Ｂは、それぞれ、湾曲した細長い板状の部材である。装着具８は、ユーザの前頭部に第一部分８Ａを、ユーザの右側頭部及び左側頭部のそれぞれに一対の第二部分８Ｂを沿わせた状態で、ユーザの頭部に装着される。
【００３０】
接続具９は、装着具８とＨＤ２０とを接続するための構成である。接続具９は、やや湾曲した棒状の部材である。接続具９の上端部は、装着具８と接続する。接続具９の下端部は、ＨＤ２０と接続する。接続具９は、装着具８から離間した位置にＨＤ２０を保持する。接続具９は、装着具８がユーザに装着された状態で、筐体２０Ａのハーフミラー４を、ユーザの左眼の前方に配置できる。この場合、ユーザは、画像表示部２２に表示された画像を、ハーフミラー４を介して視認できる。
【００３１】
ＣＢ３０は、ＨＤ２０を制御する。ＣＢ３０は、ＨＤ２０とハーネス７を介して接続される。なお、ＣＢ３０とＨＤ２０とは、ハーネス７によらず、無線を介して無線通信を行ってもよい。ＣＢ３０は、ＨＤ２０とは異なる位置（例えば、ユーザの腰ベルト、腕等）に装着される。ただし、ＣＢ３０は、ＨＤ２０又は装着具８と一体に構成されてもよい。ＣＢ３０は、電源スイッチ及び操作ボタン（図示せず）を含む操作部３７を備える。ＨＤ２０における各種設定、使用時における各種操作、電源のオンオフ操作等は、操作部３７に対して入力される。
【００３２】
次いで、ＨＭＤ１０の電気的構成について説明する。まず、ＣＢ３０の電気的構成を説明する。ＣＢ３０は、ＣＢ３０全体の制御を行うＣＰＵ３１を備える。ＣＰＵ３１は、ＲＡＭ３２、フラッシュメモリ３３、入力部３４、無線通信部３６、操作部３７及び接続コントローラ３５に電気的に接続する。ＲＡＭ３２は、ＣＰＵ３１による演算処理で得られた演算結果等、各種のデータを一時的に記憶する。
【００３３】
フラッシュメモリ３３は、不揮発性の記憶装置である。フラッシュメモリ３３は、ＯＳを記憶する。また、フラッシュメモリ３３は、メインプログラムを含む、ＣＰＵ３１が実行する各種プログラム、各種プログラムが使用するフラグやデータの初期値等を記憶する。メインプログラムは、ＨＭＤ１０の各種動作を制御するためのプログラムであり、各種プログラムを並列処理によって実行するマルチタスク型のプログラムである。各種プログラムは、ＯＳ上で実行される。各種プログラム及びＯＳは、ＨＭＤ１０の出荷時にフラッシュメモリ３３に記憶される。
【００３４】
フラッシュメモリ３３は、後述する情報出力処理（図４及び図５参照）をＣＰＵ３１が実行するための情報出力プログラム、及びテーブル更新処理（図１６参照）をＣＰＵ３１が実行するためのテーブル更新プログラムを記憶する。情報出力プログラム及びテーブル更新プログラムは、メインプログラムに従ってＣＰＵ３１が実行する各種プログラムに含まれる。また、フラッシュメモリ３３は、後述の、機器情報テーブル６０（図２参照）、ユーザ情報テーブル７０（図３参照）、第一優先度テーブル８０（図６参照）、第二優先度テーブル９０（図７参照）及び第三優先度テーブル１１０（図８参照）を記憶する。また、フラッシュメモリ３３は、後述の、機器情報量テーブル１２０（図９参照）、ユーザ処理能力テーブル１３０（図１０参照）、処理負荷量テーブル１４０（図１１参照）及び同時処理量テーブル１５０（図１２参照）を記憶する。
【００３５】
また、ＨＭＤ１０は、各種プログラム及びＯＳを、無線通信を介してプログラムダウンロード用のサーバからダウンロードし、インストールしてもよい。例えば、各種プログラム及びＯＳは、コンピュータで読み取り可能な一時的な記憶媒体（例えば、伝送信号）として、サーバからＨＭＤ１０に送信されてもよい。フラッシュメモリ３３は、非一時的な記憶媒体の一例である。非一時的な記憶媒体は、情報を記憶する期間に関わらず、情報を記憶可能な記憶媒体であればよい。非一時的な記憶媒体は、一時的な記憶媒体（例えば、伝送される信号）を含まなくてもよい。本実施形態における記憶装置はフラッシュメモリ３３であるが、記憶装置は、情報を記憶する時間の長さに関わらずデータを保持できる、他の非一時的な記憶媒体、例えば、ＲＯＭ、ＲＡＭ等で構成されてもよい。
【００３６】
入力部３４は、所定の規格（例えば、Universal Serial Bus (USB)）に適合した１又は複数のインターフェースの入力端子を含み、ＣＢ３０と外部装置とを接続するための入力ポートとして機能する。本実施形態では、計測機器１〜Ｎの複数の計測機器５０が入力部３４に接続可能である。計測機器５０は、医療の現場で使用される種々の機器である。計測機器５０は、例えば、心電図検査を行う心電計、脳波の計測を行う脳波計、超音波診断装置、ＭＲＩ装置、Ｘ線ＣＴ装置、パーソナルコンピュータ（ＰＣ）等で構成されてカルテの画像を出力する情報処理装置等である。入力部３４は、接続されている計測機器５０から入力される情報をそれぞれ取得する。計測機器５０から入力される情報は、例えば、計測機器５０によって測定又は撮像等された内容を示す画像、音等に対応する情報であり、以下では「機器情報」ともいう。
【００３７】
無線通信部３６は、ネットワーク１１へ無線通信によって接続し、ネットワーク１１に接続された他のＨＭＤ１０と無線通信を行うためのコントローラである。操作部３７は、ユーザによる操作に対応する入力信号等の入出力を行う。接続コントローラ３５は、ハーネス７を介してＨＤ２０の接続コントローラ２１と電気的に接続し、有線通信を行う。
【００３８】
次いで、ＨＤ２０の電気的構成を説明する。ＨＤ２０は、接続コントローラ２１、画像表示部２２、マイク２５及びスピーカ２６を備えている。接続コントローラ２１、画像表示部２２、マイク２５及びスピーカ２６は、電気的に接続される。接続コントローラ２１は、ハーネス７を介してＣＢ３０の接続コントローラ３５と電気的に接続し、有線通信を行う。マイク２５は、筐体２０Ａの外部（例えばユーザの口）から入力するアナログの音をデジタルの音データに変換し、音データを出力する。スピーカ２６は、接続コントローラ２１を介して受信する音データをデジタルからアナログの音に変換し、筐体２０Ａの外部（例えばユーザの耳）に音を出力する。マイク２５及びスピーカ２６は、通常の気導型のマイク及びスピーカに限定されず、骨伝導型のものであってもよい。画像表示部２２は前述の通り、映像信号に基づいて画像を表示する。
【００３９】
ＨＭＤ１０のユーザが、情報出力システム１００を利用する場合の手順について説明する。本実施形態において、情報出力システム１００は、ＨＭＤ１０Ａ，１０Ｂ，１０Ｃの三台のＨＭＤ１０を含んでいるとする。本実施形態における医療現場は、手術の場面であるとする。ＨＭＤ１０のユーザそれぞれの医療現場における役割は、例えば、執刀医、第一助手及び麻酔医であるとする。役割とは、医療現場におけるそれぞれのユーザの参加態様を示す。役割のうち、執刀医に、医療現場を統括する特定の権限が、予め付与されているとする。
【００４０】
まずＨＭＤ１０のユーザは、医療現場において使用する計測機器５０を、ＣＢ３０の入力部３４に接続する。本実施形態では、計測機器５０のうち、計測機器１〜３が入力部３４に接続されたとする。本実施形態では、例えば、計測機器１は超音波診断装置、計測機器２は脳波計、計測機器３は心拍計である。計測機器１〜３は、ＨＭＤ１０Ａのような、情報出力システム１００に含まれる一部のＨＭＤ１０のみに接続されていてもよいし、情報出力システム１００に含まれる全てのＨＭＤ１０のそれぞれに接続されていてもよい。その後、ＨＭＤ１０のユーザは、ＨＭＤ１０Ａ，１０Ｂ，１０Ｃの相互間における無線通信を確立する。ＨＭＤ１０Ａ，１０Ｂ，１０Ｃの相互間を、無線通信によって送受信される各種の情報を、装置情報という。装置情報は、例えば、送信元のＨＭＤ１０がいずれのＨＭＤ１０であるかを特定する情報（例えば、後述のユーザＩＤ又は装置ＩＤ）を、そのヘッダ領域に含む。なお、この無線通信が確立されることで、他のＨＤ２０のマイク２５によって集音された音声等の音が、スピーカ２６から出力される。これにより、ユーザは、マイク２５及びスピーカ２６を介して、他のユーザと互いに会話をすることができる。
【００４１】
図２を参照して、機器情報テーブル６０について説明する。機器情報テーブル６０には、計測機器５０毎の機器情報のパターンに関する情報が記憶されている。図２に示すように、機器情報テーブル６０には、計測機器ＩＤ、機器パターン、第一閾値及び第二閾値が関連付けて記憶されている。計測機器ＩＤは、計測機器５０が計測機器１〜Ｎのいずれであるかを識別するために、ＣＰＵ３１によって付されるＩＤである。本実施形態では、計測機器１〜３のそれぞれが、計測機器ＩＤに対応する。
【００４２】
機器パターンは、入力部３４を介してＣＰＵ３１に入力される機器情報が、いずれの計測機器５０から出力されたものであるかを識別可能な情報である。本実施形態では、機器パターンは、複数の計測機器５０のそれぞれから入力される機器画像の示す画像信号のパターンを示す情報である。機器パターンは、入力部３４を介してＣＢ３０に入力される機器情報に対応する機器画像が、いずれの計測機器５０のものであるかをパターンマッチングによって判定するためのテンプレート画像についての情報であってもよい。また、機器パターンは、機器情報の有する計測機器５０毎に固有の画像信号のパターンを抽出したものであってもよい。また、機器パターンは、計測機器５０のそれぞれが機器情報のヘッダ情報として出力する種々の情報であってもよい。
【００４３】
第一閾値及び第二閾値は、ＣＰＵ３１が、計測機器５０毎の状態である機器状態を判定するための基準値を示す。具体的には、ＣＰＵ３１は、計測機器５０によって測定された測定値、計測機器５０の機器画像の示す測定結果等に応じて、機器状態が状態Ａ，Ｂ，Ｃの三段階のうちいずれの状態であるかを判定する。状態Ａは、機器情報の示す患者の容体が比較的良好である等、機器情報に対してユーザの注意を払う必要度が三段階のうち最も低い状態である。状態Ｂは、状態Ａよりも患者の容体が悪化している等、状態Ａよりも機器情報に注意を払うべき状態である。状態Ｃは、状態Ｂよりも患者の容体がさらに悪化している等、三段階のうちユーザが最も機器情報に注意を払う必要のある状態である。機器情報が第一閾値よりも低い情報を示す場合、ＣＰＵ３１は、機器状態を状態Ａと判定する。機器情報が第一閾値以上第二閾値未満の情報を示す場合、ＣＰＵ３１は、機器状態を状態Ｂと判定する。機器情報が第二閾値以上の情報を示す場合、ＣＰＵ３１は、機器状態を状態Ｃと判定する。
【００４４】
図３を参照して、ユーザ情報テーブル７０について説明する。図３に示すように、ユーザ情報テーブル７０には、ユーザＩＤ、装置ＩＤ、役割情報及び特性フラグが、「ＮＯ．」の順に関連付けて記憶されている。ユーザＩＤは、情報出力システム１００を利用するユーザを識別するための識別情報である。装置ＩＤは、対応するユーザＩＤによって識別されるユーザによって使用されるＨＭＤ１０を識別するための識別情報である。役割情報は、対応するユーザＩＤによって識別されるそれぞれのユーザの役割である、「執刀医」「第一助手」「麻酔科医」のいずれかを示す。
【００４５】
特性フラグは、「１」が記憶されて「ＯＮ」となり、「０」が記憶されて「ＯＦＦ」となるフラグであって、特定の権限が付与されている役割に対応する特性フラグがＯＮとされる。ユーザ情報テーブル７０は、情報出力処理の実行開始時に、ユーザ情報テーブル７０のうち最上欄のＮＯ．１に対応する特性フラグが「ＯＮ」となるように設定されている。例えば、情報出力処理が進行するうちに、ユーザの一部が医療現場を離れることがある。この場合、特定の権限が付与されているユーザＩＤ「Ｕ０００１」に対応するユーザが、装置ＩＤ「ＨＭＤ１０Ａ」に対応するＨＭＤ１０の使用を終了して、ＨＭＤ１０Ａ，１０Ｂ，１０Ｃ相互間における無線通信から離脱することがある。このような場合には、ＣＰＵ３１は、従前に特定フラグが「ＯＮ」とされていたユーザＩＤに対応する「ＮＯ．」に対して、次に大きい「ＮＯ．」に対応する特性フラグを「ＯＮ」とし、従前に「ＯＮ」とされていた特性フラグを「ＯＦＦ」にする。このように、ユーザ情報テーブル７０の「ＮＯ．」は、ユーザ情報テーブル７０において特性フラグが遷移する遷移順を示している。
【００４６】
本実施形態において、他のＨＭＤ１０のＨＤ２０のマイク２５を介して、別の他のＨＭＤ１０のＨＤ２０のスピーカ２６に送信される音情報には、ユーザ情報テーブル７０の「ＮＯ．」の順に優先度が設けられている。他の複数のＨＭＤ１０から同時に複数の音情報を受信した場合、ＣＰＵ３１は、「ＮＯ．」の順がより高い装置ＩＤに対応するＨＭＤ１０から送信される音情報を、「ＮＯ．」の順がより低い装置ＩＤに対応するＨＭＤ１０から送信される音情報よりも先に、スピーカ２６に出力させる。複数の音がスピーカ２６から出力されると、個々の音を聞き分けることが難しくなることがある。特に、特定の権限が付与されているユーザＩＤに関する音を聞き漏らすことは、医療現場において好ましくない。ＣＰＵ３１は、他のＨＭＤ１０から送信される音情報の出力タイミングを、「ＮＯ．」の順に応じて異ならせることで、「ＮＯ．」の順のより高い音情報に関する音をユーザが聞き漏らすことを低減できる。
【００４７】
図４及び図５を参照して、情報出力処理について説明する、ＨＭＤ１０は、前述のように、予めフラッシュメモリ３３に情報出力プログラムを記憶した状態で出荷される。情報出力プログラムは、ＨＭＤ１０のＣＢ３０におけるＣＰＵ３１が実行するプログラムである。情報出力プログラムを実行したＣＰＵ３１は、ユーザＩＤに応じた機器状態毎の優先度を決定し、決定した優先度に基づいて、機器情報に基づく機器画像をＨＭＤ１０に表示させる処理を行う。以下では、ＨＭＤ１０ＡのＣＰＵ３１が、情報出力プログラムを実行しているものとして説明する。
【００４８】
情報出力処理の実行に伴いＣＰＵ３１が行う処理について説明する。ユーザがＣＢ３０の操作部３７における電源スイッチを操作すると、ＣＰＵ３１は、起動時における所定の初期設定処理（図示せず）に伴う動作を行う。ＣＰＵ３１は、ＲＡＭ３２に記憶するフラグやデータを初期化し、フラッシュメモリ３３に記憶されているフラグやデータの初期値をＲＡＭ３２に書き込む。
【００４９】
上記の初期設定処理が終了すると、ＣＰＵ３１は、情報出力処理を開始する、図４に示すように、情報出力処理が開始されると、ＣＰＵ３１は、ＨＭＤ１０Ａ，１０Ｂ，１０Ｃの相互間に確立されている無線通信を介して、他のＨＭＤ１０の装置情報を取得する。ＣＰＵ３１は、ユーザ情報テーブル７０を参照し、取得した装置情報のヘッダ領域に含まれる送信元のＨＭＤ１０を特定する情報に基づいて、送信元のＨＭＤ１０に対応するユーザＩＤを取得する（Ｓ１１）。また、ＣＰＵ３１は、他のＨＭＤ１０に送信する装置情報のヘッダ領域に含まれる情報に基づいて、自身のＨＭＤ１０に対応するユーザＩＤを取得する（Ｓ１１）。なお、この処理によって、ＣＰＵ３１は、いずれのＨＭＤ１０がネットワーク１１に接続しているかを把握することができる。
【００５０】
ＣＰＵ３１は、フラッシュメモリ３３に記憶されている第一優先度テーブル８０を参照する（Ｓ１２）。図６を参照して、第一優先度テーブル８０について説明する。第一優先度テーブル８０は、ＨＭＤ１０に機器情報が出力される優先度を、計測機器ＩＤ毎に、所定の第一優先度指数を用いて定義している。ユーザがＨＭＤ１０を使用するとき、ＨＭＤ１０に接続される計測機器５０から出力される機器情報のそれぞれを、同じ程度で必要とする場合と、一部の機器情報を他の機器情報よりも優先して必要とする場合とがある。第一優先度指数は、このような機器情報の優先度を示す指標である。第一優先度指数は、事前の実験等によって、機器情報の優先度を定量化することで導いてよい。ここで、複数のユーザがそれぞれのＨＭＤ１０を使用する際に、同じ医療現場であっても、ユーザが必要とする機器情報が、役割に応じてユーザ間で異なることがある。第一優先度テーブル８０は、計測機器ＩＤ毎の第一優先度指数を、ユーザＩＤ毎に設定している。このため、ＨＭＤ１０は、ユーザの役割に応じた機器情報の優先度を設定できる。このような、ユーザＩＤ別に定義された計測機器ＩＤ毎の優先度を、以下では、第一優先度という。
【００５１】
図６に示すように、ユーザＩＤ「Ｕ０００１」に関連付けられている計測機器１〜３の第一優先度指数は、いずれも「３０」である。例えば、ユーザの役割が、計測機器１〜３から出力されるいずれの機器情報にも、同じ程度で注意を払うべき役割である場合に、このような第一優先度が設定される。これに対して、ユーザＩＤ「Ｕ０００２」及び「Ｕ０００３」のそれぞれに関連付けられている計測機器１〜３の第一優先度指数は、それぞれの役割に応じた異なる値に振分けられている。
【００５２】
第一優先度テーブル８０に設けられている「更新禁止フラグ」欄は、後述のテーブル更新処理（図１７参照）における第一優先度の更新を禁止するか否かを設定するために設けられている。図６では、ユーザＩＤ「Ｕ０００１」及び「Ｕ０００２」に対応する更新禁止フラグが、「０」が記憶されて「ＯＦＦ」とされている。ユーザＩＤ「Ｕ０００３」に対応する更新禁止フラグが、「１」が記憶されて「ＯＮ」とされている。テーブル更新処理では、更新禁止フラグが「ＯＮ」となっているデータ列については更新を禁止し、更新禁止フラグが「ＯＦＦ」となっているデータ列については更新を禁止しないと判断される。
【００５３】
図４の説明に戻る。ＣＰＵ３１は、第一優先度テーブル８０における各ユーザＩＤに対応する計測機器ＩＤ毎の第一優先度を示す情報を取得する（Ｓ１３）。ＣＰＵ３１は、ＨＭＤ１０に接続されている計測機器５０のそれぞれから機器情報を取得する（Ｓ１５）。この処理において、ＣＰＵ３１は、入力部３４に設けられている複数の入力端子のうち、まず、最小の番号の付された入力端子に機器情報が入力されているかを判定する。機器情報が入力されている場合には、ＣＰＵ３１は、入力される機器情報を取得する。以下、ＣＰＵ３１は、入力部３４に設けられている複数の入力端子のうち、最小の番号の次に大きい番号の付された入力端子から最大の番号の付された入力端子まで、入力端子に機器情報が入力されているかの判定、及び機器情報が入力されている場合には機器情報の取得を繰り返し実行する。
【００５４】
ＣＰＵ３１は、フラッシュメモリ３３に記憶されている機器情報テーブル６０を参照する（Ｓ１６）。ＣＰＵ３１は、Ｓ１５の処理で取得した機器情報のそれぞれについて、計測機器ＩＤ及び機器情報を取得する（Ｓ１８）。この処理において、ＣＰＵ３１は、取得した機器情報の示すパターンと、機器情報テーブル６０に記憶されている複数の機器パターンとを比較し、取得した機器情報の示すパターンが、複数の機器パターンのいずれかに一致するかを判断する。複数の機器パターンのいずれかが、取得した機器情報の示すパターンと一致する場合、ＣＰＵ３１は、一致すると判断した機器パターンに機器情報テーブル６０において関連付けられた計測機器ＩＤを特定する。即ち、判断対象の機器情報を出力した計測機器５０の計測機器ＩＤが特定される。ＣＰＵ３１は、判断対象の機器情報の機器状態が状態Ａ〜Ｃのいずれであるかを、機器情報テーブル６０において特定した計測機器ＩＤに関連付けられている第一閾値及び第二閾値に基づいて判断する。例えば、図１４に示す、計測機器１に関する機器画像である超音波画像２２１では、画像の変動の程度等を示す値を閾値として、機器状態が判断される。図１４に示す、計測機器２に関する機器画像である波形画像２２２では、波形画像２２２を囲む枠線のうち下辺の示す横軸を閾値として、計測機器２の計測値に基づく波形が横軸を上回るように描かれる程度で、機器状態が判断される。図１４に示す、計測機器３に関する機器画像である心電図画像では、心拍数の所定の数値を閾値として、機器状態が判断される。機器情報が音声情報の場合には、音声情報の示す所定の音量・周波数等を閾値として、機器状態が判断される。例えば、心拍数、血圧値等、数値で示される機器情報については、数値の大きさそのもの、又は数値に所定の係数を乗じたもの等の示す値を、機器状態として扱ってもよい。これらの処理を、Ｓ１５で取得した他の機器情報についても行うことで、Ｓ１５の処理で取得した機器情報のそれぞれに対応する計測機器ＩＤ及び機器状態を取得する。ＣＰＵ３１は、計測機器ＩＤと、計測機器ＩＤに対応する機器状態を、ＲＡＭ３２に記憶する。
【００５５】
ＣＰＵ３１は、フラッシュメモリ３３に記憶されている第二優先度テーブル９０を参照する（Ｓ１９）。図７を参照して、第二優先度テーブル９０について説明する。第二優先度テーブル９０は、機器状態に応じた機器情報の優先度を、計測機器ＩＤ毎に、所定の第二優先度指数を用いて定義している。ユーザがＨＭＤ１０を使用するとき、同じ計測機器５０であっても、機器状態に応じて機器情報を必要とする程度が異なることがある。第二優先度指数は、計測機器５０毎に固定された単一の値ではなく、計測機器５０毎に機器状態に応じて変動する値で、機器状態に応じた機器情報の優先度を示す指標である。第二優先度指数は、事前の実験等によって、機器情報の優先度を定量化することで導いてよい。本実施形態では、計測機器ＩＤに関わらず、状態Ａにおける第二優先度指数は「３０」、状態Ｂにおける第二優先度指数は「５０」、状態Ｃにおける第二優先度指数は「８０」と、第二優先度テーブル９０に定められている。例えば、機器状態に応じて、機器情報毎の必要度が計測機器５０間で異なることもある。この場合には、計測機器ＩＤ毎に、機器状態別に異なる第二優先度指数を定めてよい。このような、計測機器ＩＤ別に定義された機器状態毎の優先度を、以下では、第二優先度という。
【００５６】
図４の説明に戻る。ＣＰＵ３１は、Ｓ１８の処理で取得した計測機器ＩＤと、計測機器ＩＤに対応する機器状態とに基づいて、機器状態に応じた計測機器ＩＤ毎の第二優先度を取得する（Ｓ２１）。本実施形態では、Ｓ１８の処理で、計測機器ＩＤ「計測機器１」に「状態Ｂ」が、計測器ＩＤ「計測機器２」に「状態Ｃ」が、計測機器ＩＤ「計測機器３」に「状態Ｃ」が、それぞれ対応して取得されたとする。この場合、「計測機器１」の機器状態が「状態Ｂ」であるとして囲み９１に示す「５０」が、「計測機器２」の機器状態が「状態Ｃ」であるとして囲み９２に示す「８０」が、「計測機器３」の機器状態が「状態Ａ」であるとして囲み９３に示す「３０」が、それぞれ第二優先度として取得されたとする。
【００５７】
ＣＰＵ３１は、Ｓ１３の処理で取得した第一優先度と、Ｓ２１の処理で取得した第二優先度とに基づいて、ユーザＩＤ、計測機器ＩＤ、機器状態のそれぞれに応じた優先度である第三優先度を算出する（Ｓ２２）。この処理において、ＣＰＵ３１は、例えば図８に示すような第三優先度テーブル１１０をフラッシュメモリ３３に生成して、第三優先度を算出する。第三優先度テーブル１１０は、各ユーザＩＤと各計測機器ＩＤとを、それぞれ対応付けている。ＣＰＵ３１は、まず、Ｓ１３の処理で取得した、各ユーザＩＤに対応する計測機器ＩＤ毎の第一優先度（図８における囲み８０１）を、第三優先度テーブル１１０に登録する。次いで、ＣＰＵ３１は、Ｓ２１の処理で取得した、機器状態に応じた計測機器ＩＤ毎の第二優先度（図８における囲み９０１）を、第一優先度に加算する。このとき、第二優先度テーブル９０において「計測機器１」の機器状態が「状態Ｂ」であることから、第三優先度テーブル１１０の「計測機器１」に対して第二優先度「５０」が加算される。同様に、第二優先度テーブル９０において「計測機器２」の機器状態が「状態Ｃ」であることから、第三優先度テーブル１１０の「計測機器２」に対して第二優先度「８０」が加算される。第二優先度テーブル９０において「計測機器３」の機器状態が「状態Ａ」であることから、第三優先度テーブル１１０の「計測機器１」に対して第二優先度「３０」が加算される。これによって、ユーザＩＤ、計測機器ＩＤ、機器状態のそれぞれに応じた第三優先度が算出される。ＣＰＵ３１は、このようにして、第一優先度だけ、又は第二優先度だけに基づいて機器情報の優先度を算出するのではなく、ユーザＩＤ毎の状況及び計測機器ＩＤ毎の機器状態の状況のそれぞれに応じた機器情報の優先度として、第三優先度を算出できる。
【００５８】
なお、図８においてかぎカッコ（「」）内に示す値は、第三優先度の高い順を、ユーザＩＤ毎に示したものである。例えば、ユーザＩＤ「Ｕ０００１」では、第三優先度の値が「計測機器１」では「８０」、「計測機器２」では「１１０」、「計測機器３」では「６０」となる。従って、「Ｕ０００１」における第三優先度の順は、「計測機器２」が「１」番、「計測機器１」が「２」番、「計測機器３」が「３」番となる。
【００５９】
次いで、図５に示すように、ＣＰＵ３１は、フラッシュメモリ３３に記憶されている機器情報量テーブル１２０を参照する（Ｓ３１）。図９を参照して、機器情報量テーブル１２０について説明する。機器情報量テーブル１２０は、計測機器５０から出力される機器情報のそれぞれの情報量である機器情報量を、計測機器ＩＤ毎に、所定の機器情報量指数を用いて定義している。機器情報量とは、例えば、機器情報に対応する機器画像に含まれる情報の量である。また、機器情報量は、例えば、機器情報に対応する音情報に含まれる情報の量である。機器情報量指数は、事前の実験等によって、機器情報の機器情報量を定量化することで導いてよい。本実施形態では、計測機器１は超音波診断装置、計測機器２は脳波計、計測機器３は心拍計に対応するが、機器情報量テーブル１２０において、それぞれの計測機器５０に対応する機器情報量指数として、異なる値が定義されている。
【００６０】
図５の説明に戻る。ＣＰＵ３１は、参照した機器情報量テーブル１２０から、計測機器ＩＤ毎の機器情報量を取得する（Ｓ３２）。ＣＰＵ３１は、フラッシュメモリ３３に記憶されているユーザ処理能力テーブル１３０を参照する（Ｓ３３）。
【００６１】
図１０を参照して、ユーザ処理能力テーブル１３０について説明する。ユーザ処理能力テーブル１３０は、ＨＭＤ１０のユーザが、例えば、機器情報に基づく機器画像を視認して、医療現場に応じた判断を行うこと、即ち、機器情報を処理することに関する能力を、計測器ＩＤ毎に、所定の処理能力指数を用いて定義している。本実施形態では、処理能力指数は、所定の機器情報量を、ユーザが所定時間あたりに処理する能力を示す。機器情報の処理能力は、機器情報の処理の得手不得手や、ユーザの経験等によって、ユーザ毎に異なることがある。また、同じユーザであっても、いずれの計測機器５０の機器情報であるかによって、処理能力が異なることがある。また、同じ計測機器５０の機器情報に対するユーザの処理が、ユーザの役割によって異なることもある。例えば、同じ脳波計の機器画像に対して、執刀医と麻酔科医とでは、役割毎に異なる観点で機器画像の判断を行うことが考えられるので、同じ機器情報に対する処理能力が、役割毎に異なることがある。このため、ユーザ処理能力テーブル１３０は、計測機器ＩＤ毎の処理能力指数を、ユーザＩＤ毎に設定している。これらの様々な要素を勘案し、また、事前の実験等によって、処理能力指数は、機器情報の処理能力を定量化することで導いてよい。このような、ユーザＩＤ別に定義された計測機器ＩＤ毎の処理能力を、以下ではユーザ処理能力という。
【００６２】
図５の説明に戻る。ＣＰＵ３１は、参照したユーザ処理能力テーブル１３０から、ユーザＩＤ別に定義された計測機器ＩＤ毎のユーザ処理能力を取得する（Ｓ３５）。ＣＰＵ３１は、Ｓ３２の処理で取得した機器情報量及びＳ３５の処理で取得したユーザ処理能力に基づいて、ユーザＩＤ及び計測機器ＩＤに応じた処理負荷量を算出する（Ｓ３６）。処理負荷量は、各機器情報をユーザそれぞれのユーザ処理能力で処理する場合に必要な負荷を数値化したものである。
【００６３】
この処理において、ＣＰＵ３１は、例えば図１１に示すような処理負荷量テーブル１４０をフラッシュメモリ３３に生成して、処理負荷量を算出する。処理負荷量テーブル１４０は、各ユーザＩＤと各計測機器ＩＤとを、それぞれ対応付けている。本実施形態においては、処理負荷量は、各機器情報の備える機器情報量を、それぞれのユーザ処理能力で除した結果として算出される。ＣＰＵ３１は、まず、Ｓ３２の処理で取得した、計測機器ＩＤ毎の情報量（図１１における囲み１２０１）を、処理負荷量テーブル１４０に登録する。次いで、ＣＰＵ３１は、Ｓ３５の処理で取得した、各ユーザＩＤに対応する計測機器ＩＤ毎のユーザ処理能力（図１１における囲み１３０１）で、処理負荷量テーブル１４０に登録した各情報量を除算する。これによって、各ユーザＩＤに対応する計測機器ＩＤ毎の処理負荷量が算出される。
【００６４】
次いで、図５に示すように、ＣＰＵ３１は、フラッシュメモリ３３に記憶されている同時処理量テーブル１５０を参照する（Ｓ３９）。図１２を参照して、同時処理量テーブル１５０について説明する。ユーザによっては、例えば、複数の機器情報に基づく複数の機器画像を同時に視認して処理することが得意な者もあれば、複数の機器画像を同時に視認することは不得手であるが、機器画像を一つずつ処理していくことは得意であるような者もある。同時処理量テーブル１５０は、各ユーザが所定時間当たりに処理できる情報量を、ユーザの機器情報の処理の特性に応じて、所定の同時処理量指数を用いて定義している。複数の機器画像を同時に処理することが得意なユーザについては、同時処理量テーブル１５０の同時処理量指数が大きくなるように定義される。本実施形態では、図１２に示すように、ユーザＩＤ「Ｕ０００１」については「６」、ユーザＩＤ「Ｕ０００２」については「７」、ユーザＩＤ「Ｕ０００３」については「５」が、同時処理量指数として同時処理量テーブル１５０に定められている。
【００６５】
次いで、図５に示すように、ＣＰＵ３１は、参照した同時処理量テーブル１５０から、ユーザＩＤ毎の同時処理量を取得する（Ｓ３９）。ＣＰＵ３１は、Ｓ２２の処理で算出した第三優先度、及びＳ３６の処理で算出した処理負荷量に応じて、Ｓ３９の処理で取得した同時処理量を超えない範囲の機器情報の情報量を特定する（Ｓ４１）。
【００６６】
この処理について、具体的に説明する。図１３上段に示す処理負荷量テーブル１４０に格納されている値は、Ｓ３６の処理で算出された算出結果である、ユーザＩＤ及び計測機器ＩＤに応じた処理負荷量を示している。また、図１３上段に示す処理負荷量テーブル１４０において、かぎカッコ（「」）内に示す値は、Ｓ２２の処理で算出された第三優先度である。ＣＰＵ３１は、ユーザＩＤ毎に、第三優先度の高い順に計測機器ＩＤ毎の処理負荷量を、Ｓ３９の処理で取得した同時処理量の示す値を超えない範囲で加算する。そして、ＣＰＵ３１は、同時処理量の示す値を超えない範囲内で処理負荷量指数を加算できた計測機器ＩＤを特定する。
【００６７】
図１３上段において、ユーザＩＤ「Ｕ０００１」については、第三優先度が「１」である計測機器２の処理負荷量「２」、第三優先度が「２」である計測機器１の処理負荷量「１．５」、第三優先度が「３」である計測機器３の処理負荷量「１」のそれぞれが、処理負荷量テーブル１４０に示されている。これらの処理負荷量を第三優先度の順に加算した結果は「２＋１．５＋１＝４．５」である。この結果は、Ｓ３９の処理で取得した、ユーザＩＤ「Ｕ０００１」の同時処理量である「６」を超えない。このため、ＣＰＵ３１は、計測機器１〜３の全てを、Ｓ４１の処理における特定の対象とする。
【００６８】
ユーザＩＤ「Ｕ０００２」については、第三優先度が「１」である計測機器３の処理負荷量「１」と、第三優先度が「２」である計測機器２の処理負荷量「４」とが加算された時点では、加算結果がユーザＩＤ「Ｕ０００２」の同時処理量である「７」を超えない。しかし、第三優先度が「１」である計測機器３の処理負荷量「１」と、第三優先度が「２」である計測機器２の処理負荷量「４」と、第三優先度が「３」である計測機器１の処理負荷量「３」とを加算した加算結果である「８」は、ユーザＩＤ「Ｕ０００２」の同時処理量である「７」を超える。従って、ＣＰＵ３１は、ユーザＩＤ「Ｕ０００２」の同時処理量を超えない範囲の処理負荷量に対応する計測機器３及び計測機器２を、Ｓ４１の処理における特定の対象とする。同様に、ユーザＩＤ「Ｕ０００３」については、第三優先度が「１」である計測機器２の処理負荷量が「５」である。従って、ＣＰＵ３１は、ユーザＩＤ「Ｕ０００３」の同時処理量である「５」を超えない範囲の処理負荷量に対応する計測機器２のみを、Ｓ４１の処理における特定の対象とする。
【００６９】
次いで、図５に示すように、ＣＰＵ３１は、Ｓ４１の処理で特定した内容に応じて、機器情報の出力指示を、接続コントローラ３５を介してＨＤ２０に出力する（Ｓ４２）。この処理において、本実施形態では、ＣＰＵ３１は、Ｓ４１の処理における特定の対象とした計測機器ＩＤに対応する機器情報を、ＨＤ２０に出力させることを決定する。即ち、図１３下段の処理負荷量テーブル１４０に示すように、ＣＰＵ３１は、ユーザＩＤ「Ｕ０００１」については、計測機器１〜３の全ての機器情報を、ＨＤ２０に出力させると決定する。ＣＰＵ３１は、ユーザＩＤ「Ｕ０００２」については、計測機器３及び計測機器２の機器情報を、ＨＤ２０に出力させると決定する。ＣＰＵ３１は、ユーザＩＤ「Ｕ０００３」については、計測機器２の機器情報のみを、ＨＤ２０に出力させると決定する。
【００７０】
本実施形態では、Ｓ４２の処理で複数の機器情報に基づく機器画像が画像表示部２２に出力される場合、ＣＰＵ３１は、第三優先度のより高い機器画像を、第三優先度のより低い機器画像よりも大きな領域を用いて表示させる。計測機器１〜３に対応する機器情報に基づく機器画像の出力が、図１３下段の処理負荷量テーブル１４０が示すように決定されている場合、ＣＰＵ３１は、図１４に示す態様で、ユーザＩＤ「Ｕ０００１」のＨＭＤ１０の画像表示部２２に各機器画像を表示させる。ここで、ＣＰＵ３１は、第三優先度の最も高い計測機器２に関する機器画像である波形画像２２２については、他の機器画像よりも大きな領域を用いて、画像表示部２２に表示させる。ＣＰＵ３１は、第三優先度が次に高い計測機器１に関する機器画像である超音波画像２２１については、波形画像２２２よりも小さな領域を用いて、画像表示部２２に表示させる。ＣＰＵ３１は、第三優先度の最も低い計測機器３に関する機器画像である心拍数画像２２３については、超音波画像２２１よりも小さな領域を用いて、画像表示部２２に表示させる。このようにすることで、ＣＰＵ３１は、第三優先度のより高い機器情報に関する機器画像を、ユーザに、より視認しやすく示すことができる。
【００７１】
ここで、ＣＰＵ３１は、Ｓ４２の処理において、選択画像２２５（図１５上段参照）を表示させる指示を画像表示部２２に送信手もよい。この場合、ＣＰＵ３１は、選択画像２２５が画像表示部２２に表示されたことに伴う所定の指示の入力に応じた機器画像を、画像表示部２２に表示させることとしてもよい。
【００７２】
図１５に示すように、選択画像２２５は、ユーザに所望の機器情報を選択させるための画像である。ここでは、第三優先度が計測機器２、計測機器１、計測機器３の順である、ユーザＩＤ「Ｕ０００１」に対応するＨＭＤ１０の画像表示部２２に、選択画像２２５が表示された場合を例に説明する。選択画像２２５は、第一画像２２５Ａ、第二画像２２５Ｂ及び第三画像２２５Ｃを含む。第一画像２２５Ａは、第三優先度が最も高い計測機器２の波形画像２２２を選択させるための画像である。第二画像２２５Ｂは、第三優先度が次に高い計測機器１の超音波画像２２１を選択させるための画像である。第三画像２２５Ｃは、第三優先度が最も低い計測機器３の心拍数画像２２３を選択させるための画像である。第一画像２２５Ａ、第二画像２２５Ｂ及び第三画像２２５Ｃは、第三優先度の高い順に、画像表示部２２の前面側から後面側へ並べて配置されるので、第三優先度を視覚的にユーザに示すことができる。
【００７３】
ＣＰＵ３１は、選択画像２２５を画像表示部２２に表示させた場合、ＣＰＵ３１は、操作部３７の操作ボタンの操作を介して、第一画像２２５Ａ、第二画像２２５Ｂ及び第三画像２２５Ｃのいずれかを選択する指示が入力されることを待ち受ける。図１５上段では、第一画像２２５Ａが二重枠で示されており、第一画像２２５Ａを選択する指示が入力されていることを示している。その後、ＣＰＵ３１は、第一画像２２５Ａを選択する指示の入力に応じて、第一画像２２５Ａに対応する波形画像２２２を表示させる（図１５下段参照）。ＣＰＵ３１は、選択画像２２５を画像表示部２２に表示させることで、ユーザに第三優先度に応じた機器画像を画像表示部２２に表示させることができる。また、医療現場のそのときの状況によっては、ユーザは、第三優先度の上位に決定される機器情報とは異なる機器情報の視認をしたいこともある。ＣＰＵ３１は、選択画像２２５によって、第三優先度の上位に決定されている機器情報がいずれであるかを、第三優先度とともにユーザに視覚的に示すことができる。このため、ユーザは、選択画像２２５によって第三優先度を把握しつつ、視認したい機器情報を任意に選択できるので、第三優先度に応じた機器画像が、画一的に画像表示部２２に表示されるよりも、ＨＭＤ１０の利便性が向上する。
【００７４】
なお、図１５上段に示すように、選択画像２２５において、第三優先度の最も低い心拍数画像２２３に対応する第三画像２２５Ｃは、第一画像２２５Ａ及び第二画像２２５Ｂよりも高い輝度で示される。このため、第三画像２２５Ｃが、第一画像２２５Ａ及び第二画像２２５Ｂよりも視認し難い態様で表示される。即ち、計測機器３の機器情報に関する第三画像２２５Ｃが、計測機器１及び計測機器２の機器情報に関する第一画像２２５Ａ及び第二画像２２５Ｂよりも、情報量が抑制された態様で画像表示部２２に表示される。ＣＰＵ３１は、このようなユーザに対する情報量を抑制した表示態様で第三画像２２５Ｃを表示させることで、選択画像２２５に示される三種類の機器画像のうち、第三画像２２５Ｃに対応する機器画像の第三優先度が最も低いことを、ユーザに視覚的に示すことができる。
【００７５】
また、第三優先度が計測機器３、計測機器２、計測機器１の順である、ユーザＩＤ「Ｕ０００２」に対応するＨＭＤ１０の画像表示部２２に、Ｓ４２の処理によって機器画像が表示される場合について、図１６を参照して説明する。この場合、ＣＰＵ３１は、図１３下段に示すように、Ｓ４１の処理によって、計測機器３及び計測機器２の機器情報を、ＨＤ２０に出力させることを決定している。このような場合において、ＣＰＵ３１は、Ｓ４１の処理で出力することを決定した計測機器３に関する心拍数画像２２３及び計測機器２に関する波形画像２２２を、画像表示部２２に表示させる（図１６上段参照）。そして、計測機器１に関する超音波画像２２１については、心拍数画像２２３及び波形画像２２２とともに表示させない。このように、ＣＰＵ３１は、第三優先度が最下位である計測機器１の出力する機器情報については、第三優先度が上位の機器情報に対して出力を抑制することで、ユーザの同時処理量に応じた情報量の機器情報に基づく機器画像を、ユーザに提供できる。
【００７６】
この場合、ＣＰＵ３１は、第三優先度が最下位である計測機器１の出力する機器情報を、第三優先度が上位の機器情報に対して異なるタイミングで出力させてもよい。例えば、図１６上段に示すように、ＣＰＵ３１は、まず、第三優先度が上位の計測機器３に関する心拍数画像２２３及び計測機器２に関する波形画像２２２を画像表示部２２に表示させる。その後、所定時間の経過後に、ＣＰＵ３１は、画像表示部２２に表示する機器画像を計測機器１に関する超音波画像２２１に切り替える（図１６下段参照）。このように、複数の機器情報の出力タイミングを、第三優先度に応じてずらすことで、ＣＰＵ３１は、ユーザの同時処理量の範囲内の機器情報をまず出力させ、その後に同時処理量の範囲外の機器情報を出力させることができる。ＣＰＵ３１は、このように、第三優先度に応じた異なるタイミングで機器情報を出力制御できるので、より多くの機器画像及び機器音声をユーザに把握させやすくできる。
【００７７】
なお、複数の計測機器５０の機器情報が、同等の第三優先度を示す場合には、ＣＰＵ３１は、複数の機器情報の出力タイミングを、機器情報に応じた任意の順で、所定間隔を置いてずらしてもよい。例えば、ＨＭＤ１０は、第三優先度が同等の場合に機器情報が優先される計測機器ＩＤを予め定めておく。ＣＰＵ３１は、複数の機器情報が同等の第三優先度を示す場合に、予め定めておいた計測機器ＩＤに対応する機器情報から順に、タイミングをずらしながらそれぞれの機器情報を出力する。これにより、ＨＭＤ１０は、複数の機器情報が一度に出力されるよりも、ユーザに機器情報を把握させやすくできる。特に、機器情報が音声情報の場合、複数の音声情報が一度にスピーカ２６から出力されると、ユーザにおいて個々の音声情報を判別し難いことがある。本実施形態においては、所定間隔を置いてそれぞれの音声情報がスピーカ２６から出力されるので、ユーザは個々の音声情報を容易に判別しやすくなる。
【００７８】
図５の説明に戻る。ＣＰＵ３１は、操作部３７を介して、情報出力処理を終了させるための指示が入力されているかを判断する（Ｓ４３）。情報出力処理を終了させるための指示が入力されていない場合（Ｓ４３：ＮＯ）、ＣＰＵ３１は、処理をＳ１１（図４参照）へ戻し、一連の情報出力処理を繰り返し実行する。情報出力処理を終了させるための指示が入力されている場合（Ｓ４３：ＹＥＳ）、ＣＰＵ３１は、情報出力処理を終了する。
【００７９】
図１７を参照して、テーブル更新処理について説明する。テーブル更新処理は、メインプログラムによって、前述の情報出力処理に並列して実行される。テーブル更新処理は、所定の条件の下、第一優先度テーブル８０及び第二優先度テーブル９０にそれぞれ定義されている第一優先度及び第二優先度を更新するための処理である。テーブル更新処理が開始されると、ＣＰＵ３１は、第一優先度テーブル８０及び第二優先度テーブル９０の少なくともいずれかを更新するための更新情報を、操作部３７を介して取得したかを判断する（Ｓ５１）。更新情報は、自身のＨＭＤ１０の操作部３７を介して取得されることと、他のＨＭＤ１０の操作部３７を介して他のＨＭＤ１０から取得されることとがある。更新情報が取得されていない場合（Ｓ５１：ＮＯ）、ＣＰＵ３１は、Ｓ５１の処理を繰り返す。
【００８０】
更新情報が取得されている場合（Ｓ５１：ＹＥＳ）、ＣＰＵ３１は、更新情報の送信元のＨＭＤ１０の装置ＩＤ等に基づいて、又は自身の装置ＩＤ等に基づいて、更新情報が特定の権限を有する役割情報に基づくものであるかを判断する（Ｓ５２）。この処理において、ＣＰＵ３１は、ユーザ情報テーブル７０を参照し、更新情報に関する装置ＩＤについて、特定フラグが「ＯＮ」とされている場合に、更新情報が特定の権限を有する役割情報に基づくと判断する。更新情報が特定の権限を有する役割情報に基づくものでない場合（Ｓ５２：ＮＯ）、ＣＰＵ３１は、処理をＳ５１の判断へ戻す。
【００８１】
更新情報が特定の権限を有する役割情報に基づく場合（Ｓ５２：ＹＥＳ）、更新情報が、第一優先度テーブル８０及び第二優先度テーブル９０のうち、更新禁止設定がされている領域に関する数値を更新するための情報であるかを判断する（Ｓ５３）。この処理において、ＣＰＵ３１は、更新情報が、第一優先度テーブル８０及び第二優先度テーブル９０のうち、更新禁止フラグが「ＯＮ」とされているデータ列に関する数値を更新するための情報である場合に、送信禁止設定がされていると判断する。更新情報が、更新禁止設定のされている領域に関する数値を更新するための情報の場合（Ｓ５３：ＹＥＳ）、ＣＰＵ３１は、処理をＳ５１の判断へ戻す。
【００８２】
更新情報が、更新禁止設定のされている領域に関する数値を更新するための情報でない場合（Ｓ５３：ＮＯ）、ＣＰＵ３１は、更新情報の示す内容に応じて、第一優先度テーブル８０及び第二優先度テーブル９０の第一優先度及び第二優先度を更新する（Ｓ５４）。ＣＰＵ３１は、処理をＳ５１へ戻す。
【００８３】
ＣＰＵ３１は、テーブル更新処理を実行することで、例えば、特定の権限を有する役割情報に基づく更新情報に応じて、医療の現場のそれぞれの状況に適した第一優先度及び第二優先度に更新できる。従って、ＣＰＵ３１は、第一優先度及び第二優先度に応じて算出される第三優先度を、そのときの医療の現場の状況に応じたものとして算出できる。また、第一優先度及び第二優先度は、所定の実験等を経て設定されているので、特定の権限を有する者でない者によって、第一優先度及び第二優先度がむやみに更新されることは好ましくない。このため、第一優先度及び第二優先度を更新できるユーザを特定の権限を有する役割情報に関するユーザに限ることで、第一優先度及び第二優先度の無用の更新を防止できる。また、ＣＰＵ３１は、特定の権限を有する役割情報に関するユーザによって更新された第一優先度及び第二優先度に基づいて算出された第三優先度に応じて、機器情報の出力制御を行うことができる。また、第一優先度及び第二優先度に更新禁止設定をすることも可能なので、ＨＭＤ１０は、第一優先度及び第二優先度のうち、更新すべきでない範囲まで、誤ってテーブル更新手段によって更新されることを防止できる。
【００８４】
以上説明したように、ＣＰＵ３１は、ユーザ情報テーブル７０を参照し、取得した装置情報に基づいて、ＨＭＤ１０に対応するユーザＩＤを取得する（Ｓ１１）。ＣＰＵ３１は、ＨＭＤ１０に接続されている計測機器５０のそれぞれから機器情報を取得する（Ｓ１５）。ＣＰＵ３１は、Ｓ１５の処理で取得した機器情報のそれぞれについて、計測機器ＩＤ及び機器情報を取得する（Ｓ１８）。ＣＰＵ３１は、Ｓ１３の処理で取得した第一優先度及びＳ２１の処理で取得した第二優先度に基づいて、ユーザＩＤ、計測機器ＩＤ、機器状態のそれぞれに応じた優先度である第三優先度を算出する（Ｓ２２）。このため、例えば、複数の計測機器５０のうち、一部の計測機器５０による計測値が異常値である等の場合には、識別情報に応じた複数の計測機器毎の機器情報の第一優先度と、その計測機器５０の機器状態に応じた第二優先度とを踏まえた第三優先度で、機器情報が出力される。従って、ＨＭＤ１０は、第三優先度を算出することで、予め定められた優先度だけに基づいて機器情報を出力するのではなく、第三優先度に応じて、医療現場の状況に即した機器情報を出力できる。
【００８５】
医療現場のそのときの状況によっては、ユーザは、第三優先度の上位に決定される機器情報とは異なる機器情報の視認をしたいこともある。ＣＰＵ３１は、Ｓ４２の処理において、選択画像２２５を表示させる指示を画像表示部２２に送信し、選択画像２２５が画像表示部２２に表示されたことに伴う所定の指示の入力に応じた機器画像を、画像表示部２２に表示させる。このため、ユーザは、選択画像２２５によって第三優先度を把握しつつ、視認したい機器情報を任意に選択できる。従って、ＨＭＤ１０の利便性が向上する。
【００８６】
多くの機器情報に基づく機器画像が一度に画像表示部２２に表示される場合には、ユーザの状況によっては、機器画像を一度に把握させることが難しいことがある。また、機器情報に基づく機器音声についても同様に、複数の機器音声がスピーカ２６から同時に出力されても、ユーザがそれぞれの機器音声を把握し難いこともある。ＣＰＵ３１は、第三優先度が上位の機器情報に対して、第三優先度が下位の機器情報の出力を抑制するので（Ｓ４１）、ユーザの状況に適した情報量の機器情報を、ユーザに提供できる。
【００８７】
ＨＤ２０は、ユーザの頭部に装着される性質上、画像表示部２２の表示領域には上限があるので、複数の機器画像を一度に画像表示部２２に表示させることは難しい場合がある。また、画像表示部２２に表示される機器画像に対するユーザ処理能力が、ユーザ毎に異なることもある。ＣＰＵ３１は、計測機器ＩＤ毎の機器情報量を取得する（Ｓ３２）。ＣＰＵ３１は、ユーザＩＤ別に定義された計測機器ＩＤ毎のユーザ処理能力を取得する（Ｓ３５）。そして、ＣＰＵ３１は、機器情報量とユーザ処理能力とに基づいて、ユーザＩＤ及び計測機器ＩＤに応じた処理負荷量を算出する（Ｓ３６）。さらに、ＣＰＵ３１は、第三優先度、及び処理負荷量に応じて、Ｓ３９の処理で取得した同時処理量を超えない範囲で処理負荷量を加算できる計測機器ＩＤを、ユーザＩＤ毎に特定する（Ｓ４１）。そして、ＣＰＵ３１は、特定した計測機器ＩＤに関する機器情報の出力制御を行う（Ｓ４２）。このため、ＨＭＤ１０は、画像表示部２２及びスピーカ２６の出力能力、及びユーザ処理能力のそれぞれに応じた情報量の機器情報を出力できる。
【００８８】
画像表示部２２に複数の機器画像が一度に表示されても、ユーザが機器画像を適切に処理することが難しいことがある。ＣＰＵ３１は、機器情報に応じて、第三優先度が同等の機器情報を異なるタイミングで出力制御できる。このため、ＨＭＤ１０の利便性が向上する。
【００８９】
ＣＰＵ３１は、第一優先度テーブル８０及び第二優先度テーブル９０の少なくともいずれかを更新するための更新情報を取得したかを判断する（Ｓ５１）。更新情報が取得されている場合（Ｓ５１：ＹＥＳ）、ＣＰＵ３１は、更新情報の送信元のＨＭＤ１０の装置ＩＤ等に基づいて、又は自身の装置ＩＤ等に基づいて、更新情報が特定の権限を有する役割情報に基づくものであるかを判断する（Ｓ５２）。更新情報が特定の権限を有する役割情報に基づく場合（Ｓ５２：ＹＥＳ）、ＣＰＵ３１は、更新情報の示す内容に応じて、第一優先度テーブル８０及び第二優先度テーブル９０の第一優先度及び第二優先度を更新する（Ｓ５４）。一方、更新情報が特定の権限を有する役割情報に基づくものでない場合（Ｓ５２：ＮＯ）には、ＣＰＵ３１は、更新情報に基づく第一優先度及び第二優先度の更新を行わない。このため、特定の権限を有するユーザが更新すべきと判断したことに応じて、更新情報に基づく第三優先度に応じて機器情報の出力が制御される。従って、ＨＭＤ１０は、医療現場の状況により即した機器情報をユーザに提供できる。
【００９０】
特定の権限が付与されているユーザＩＤに対応するユーザが、ＨＭＤ１０の使用を終了して、ＨＭＤ１０Ａ，１０Ｂ，１０Ｃ相互間における無線通信から離脱することがある。このような場合、ユーザ情報テーブル７０において、従前に特定フラグが「ＯＮ」とされていたユーザＩＤに対応する「ＮＯ．」に対して、次に大きい「ＮＯ．」に対応する特性フラグが「ＯＮ」とされる。このため、ユーザＩＤが取得される毎に、そのときの状況に応じた特定の特性が、ユーザＩＤに付与される。
【００９１】
ＣＰＵ３１は、更新情報が、第一優先度テーブル８０及び第二優先度テーブル９０のうち、更新禁止設定がされている領域に関する数値を更新するための情報であるかを判断する（Ｓ５３）。更新情報が、更新禁止設定のされている領域に関する数値を更新するための情報の場合（Ｓ５３：ＹＥＳ）、ＣＰＵ３１は、第一優先度及び第二優先度の更新を行わない。このため、ＨＭＤ１０は、第一優先度及び第二優先度のうち、更新すべきでない範囲まで、誤ってテーブル更新手段によって更新されることを防止できる。
【００９２】
上記実施形態において、ＨＤ２０の画像表示部２２及びスピーカ２６が、本発明の「情報出力部」に相当する。ＨＭＤ１０が、本発明の「情報出力装置」に相当する。Ｓ１１の処理を実行するＣＰＵ３１が、本発明の「識別情報取得手段」として機能する。Ｓ１５の処理を実行するＣＰＵ３１が、本発明の「機器情報取得手段」として機能する。Ｓ１８の処理を実行するＣＰＵ３１が、本発明の「機器状態取得手段」として機能する。Ｓ１３の処理を実行するＣＰＵ３１が、本発明の「第一優先度設定手段」として機能する。Ｓ２１の処理を実行するＣＰＵ３１が、本発明の「第二優先度設定手段」として機能する。Ｓ２２の処理を実行するＣＰＵ３１が、本発明の「優先度決定手段」として機能する。Ｓ４２の処理を実行するＣＰＵ３１が、本発明の「出力制御手段」として機能する。
【００９３】
Ｓ３２の処理を実行するＣＰＵ３１が、本発明の「機器情報量設定手段」として機能する。Ｓ３５の処理を実行するＣＰＵ３１が、本発明の「処理能力設定手段」として機能する。Ｓ３６の処理を実行するＣＰＵ３１が、本発明の「算出手段」として機能する。Ｓ５１の処理を実行するＣＰＵ３１が、本発明の「更新受付手段」として機能する。Ｓ５２の処理を実行するＣＰＵ３１が、本発明の「更新判断手段」として機能する。Ｓ５４の処理を実行するＣＰＵ３１が、本発明の「更新手段」として機能する。ユーザ情報テーブル７０を記憶するフラッシュメモリ３３が、本発明の「遷移順記憶部」に相当する。Ｓ５３の処理を実行するＣＰＵ３１が、本発明の「更新禁止手段」として機能する。
【００９４】
なお、本発明は上記の実施形態に限定されるものではなく、種々の変更が可能である。上記実施形態では、ＣＰＵ３１は、計測機器ＩＤ毎の第一優先度と機器状態に応じた計測機器ＩＤ毎の第二優先度とを加算することで、ユーザＩＤ、計測機器ＩＤ、機器状態のそれぞれに応じた第三優先度を算出しているが、第三優先度の算出手法はこれに限られない。同様に、上記実施形態では、ＣＰＵ３１は、計測機器ＩＤ毎の機器情報量を各ユーザＩＤに対応する計測機器ＩＤ毎のユーザ処理能力で除算することで、各ユーザＩＤに対応する計測機器ＩＤ毎の処理負荷量を算出しているが、処理負荷量の算出手法はこれに限られない。第三優先度及び処理負荷量の算出においては、加減乗除のいずれの計算を行ってもよいし、第三優先度及び処理負荷量を算出するための様々な計算式を設定してもよい。
【００９５】
上記実施形態では、予めフラッシュメモリ３３に記憶されている第一優先度テーブル８０をＣＰＵ３１が参照することで、第一優先度が設定されている。同様に、予めフラッシュメモリ３３に記憶されている第二優先度テーブル９０をＣＰＵ３１が参照することで、第二優先度が設定されている。例えば、第一優先度は、ユーザの役割情報に応じて、ＣＰＵ３１によって、都度算出されることで設定されてもよい。また、第二優先度は、機器状態に応じて、ＣＰＵ３１によって、都度算出されることで設定されてもよい。即ち、第一優先度の設定は、ＣＰＵ３１が第一優先度テーブル８０を参照することによる設定に限られない。また、第二優先度の設定は、ＣＰＵ３１が第二優先度テーブル９０を参照することによる設定に限られない。例えば、第二優先度の設定のための複数通りの計算式を予め準備されており、ＣＰＵ３１が、機器状態に応じた計算式を複数通りの計算式のうちから選択して第二優先度を算出することで第二優先度が設定されてもよい。
【００９６】
上記実施形態では、機器状態が状態Ａ〜Ｃの三状態に区分されて設けられているが、機器状態の区分の数は、二区分であってもよいし、四区分以上であってもよい。また、機器状態は、必ずしも複数の状態に区分されていなくてもよい。
【００９７】
上記実施形態では、ＣＰＵ３１が機器情報テーブル６０を参照することで、機器情報に基づいて計測機器ＩＤ毎の機器状態を判断しているが、これに限られない。計測機器５０によっては、例えば、計測値が特定の閾値以上であるなど、機器状態が所定の状態であることを示す情報（以下、アラーム情報という。）を含めて、機器情報として出力するものがある。この場合、ＣＰＵ３１は、機器情報の取得時に、機器情報にアラーム情報が含まれているかに応じて、計測機器ＩＤ毎の機器状態を判断してもよい。
【００９８】
情報出力システム１００に含まれる全てのＨＭＤ１０のフラッシュメモリ３３に、機器情報テーブル６０、ユーザ情報テーブル７０、第一優先度テーブル８０、第二優先度テーブル９０、機器情報量テーブル１２０、ユーザ処理能力テーブル１３０及び同時処理量テーブル１５０が予め記憶されていてもよい。また、情報出力システム１００に含まれる一部のＨＭＤ１０のみに、これらのテーブルが記憶されていてもよい。また、各テーブルが、例えばユーザＩＤ単位に分割されて、各ユーザＩＤに対応する装置ＩＤのＨＭＤ１０に記憶されていてもよい。
【００９９】
情報出力システム１００において、複数のＨＭＤ１０と接続するパーソナルコンピュータ等の情報処理装置が備えられており、上記の各種テーブルが、情報処理装置の備えるハードディスクドライブ等の記憶装置に記憶されている構成であってもよい。
【０１００】
情報出力システム１００において、ＣＢ２０が一つだけ設けられており、複数のＨＤ２０のそれぞれが、一つのＣＢ２０に対して接続されている構成であってもよい。
【０１０１】
Ｓ４２の処理において、選択画像２２５が画像表示部２２に表示される場合、選択画像２２５の表示内容は、上記実施形態のものに限られない。例えば、選択画像２２５は、第三優先度の高い順に機器情報に対応する計測機器５０をリスト形式で示したものであってもよい。また、選択画像２２５は、機器画像を第三優先度に応じてサムネイル表示するものであってもよい。これらの選択画像２２５は、色・輝度・表示される大きさ等を、第三優先度に応じて変化させることで、第三優先度をユーザに視覚的に示すものであってもよい。即ち、Ｓ４２で表示される画像は、第三優先度に応じた機器情報をユーザに推奨するための表示であればよい。
【０１０２】
情報出力処理及びテーブル更新処理は、複数の電子機器（つまり、複数のＣＰＵ）によって分散処理されてもよい。例えば、情報出力処理の一部が、ネットワーク１１に接続した情報処理装置等の外部装置で実行されてもよい。プログラムは、例えば、ネットワーク１１に接続した情報処理装置等からダウンロードされて、ＣＢ３０のフラッシュメモリ３３に記憶されてもよい。
【符号の説明】
【０１０３】
１０    ＨＭＤ
２０    ＨＤ
２２    画像表示部
２６    スピーカ
３１    ＣＰＵ
３３    フラッシュメモリ
【図１】
0006519429.tif 000002
【図２】
0006519429.tif 000003
【図３】
0006519429.tif 000004
【図４】
0006519429.tif 000005
【図５】
0006519429.tif 000006
【図６】
0006519429.tif 000007
【図７】
0006519429.tif 000008
【図８】
0006519429.tif 000009
【図９】
0006519429.tif 000010
【図１０】
0006519429.tif 000011
【図１１】
0006519429.tif 000012
【図１２】
0006519429.tif 000013
【図１３】
0006519429.tif 000014
【図１４】
0006519429.tif 000015
【図１５】
0006519429.tif 000016
【図１６】
0006519429.tif 000017
【図１７】
0006519429.tif 000018